Podtech/llm-jp-corpus-v4-ja_patent huggingface dataset:
(57)【要約】【課題】病気見舞、災害見舞、火災見舞等の見舞用に使用するに適した見舞用包装を提供する。【解決手段】見舞の意味を文字により表示する文字表示部１と、鶴の図形を表示する図形表示部３と、色を付した線を表示する線表示部５とを備えていることを特徴とする見舞用包装。文字表示部１は、見舞の意味を有する文字を見舞用包装に印刷してなるもののみならず、見舞の意味を有する文字を見舞用包装に手書きしてなるものをも含む。図形表示部３は、鶴の図形を見舞用包装に印刷してなるもののみならず、見舞用包装とは別体の材料により鶴を表す形状に形成した鶴表示体を見舞用包装に取り付けてなるものをも含む。線表示部５は、線を見舞用包装に印刷してなるもののみならず、見舞用包装とは別体の材料により形成した紐状体又は帯状体を見舞用包装に取り付けてなるものをも含む。【選択図】図１
0003110030.tif 000002
【実用新案登録請求の範囲】
【請求項１】
見舞の意味を文字により表示する文字表示部と、鶴の図形を表示する図形表示部と、色を付した線を表示する線表示部とを備えていることを特徴とする見舞用包装。
【考案の詳細な説明】
【技術分野】
【０００１】
本考案は、見舞用包装に関するものである。
【０００２】
本考案において「見舞用包装」とは、病気見舞、災害見舞、火災見舞、陣中見舞等の見舞用に使用されるのし袋（熨斗袋）又はのし紙（熨斗紙）をいうものとする。
【背景技術】
【０００３】
見舞用包装としては、一般に、祝儀用ののし袋又はのし紙が使用されている。即ち、祝儀用ののし袋又はのし紙の表面に例えば「御見舞」、「お見舞」等と記入してなるものが使用されている。
【０００４】
実開平７−２４７６８号公報は、祝儀用ののし袋を開示している。
【特許文献１】実開平７−２４７６８号公報
【考案の開示】
【考案が解決しようとする課題】
【０００５】
しかるに、見舞用包装は、病気見舞にあっては、病気、怪我等により療養中の患者を見舞う際に使用するものであり、災害見舞、火災見舞にあっては、地震、水害、火災等の被災者を見舞う際に使用するものである。
【０００６】
このような患者、被災者を見舞う際に、見舞用包装として祝儀用ののし袋又はのし紙を使用することは好ましいことではない。けだし、見舞を受ける相手は、病気、怪我、地震、水害、火災等の不幸ないし不運に遭遇しているのであるから、このような相手に対し「祝儀」の意を表することはふさわしくないからである。
【０００７】
以上の如き状況に鑑み、本考案は、病気見舞、災害見舞、火災見舞等の見舞用に使用するに適した見舞用包装を提供しようとしてなされたものである。
【課題を解決するための手段】
【０００８】
上記課題を解決するために、本考案は、下記の見舞用包装を提供する。
【０００９】
見舞の意味を文字により表示する文字表示部と、鶴の図形を表示する図形表示部と、色を付した線を表示する線表示部とを備えていることを特徴とする見舞用包装。
【００１０】
本考案における「文字表示部」は、見舞の意味を有する文字を見舞用包装に印刷してなるもののみならず、見舞の意味を有する文字を見舞用包装に手書きしてなるものをも含む。
【００１１】
本考案における「図形表示部」は、鶴の図形を見舞用包装に印刷してなるもののみならず、見舞用包装とは別体の紙、水引、プラスチック、金属等の材料により鶴を表す形状に形成した鶴表示体を見舞用包装に取り付けてなるものをも含む。
【００１２】
本考案における「線表示部」は、線を見舞用包装に印刷してなるもののみならず、見舞用包装とは別体の紙、水引、プラスチック、金属等の材料により形成した紐状体又は帯状体を見舞用包装に取り付けてなるものをも含む。また、線表示部における線は、太細の如何を問わない。
【考案の効果】
【００１３】
本考案によれば、病気見舞、災害見舞、火災見舞等の見舞の際には、祝儀用ののし袋又はのし紙を流用することなく、これらの見舞用に適した見舞用包装を使用することができる。
【考案を実施するための最良の形態】
【００１４】
図１は見舞用包装たるのし袋の一例を示す表面図であり、図２は見舞用包装たるのし紙の一例を示す表面図である。
【００１５】
符号１に示すものは、見舞の意味を文字により表示する文字表示部である。
【００１６】
文字表示部１は、例えば「御見舞」又は「お見舞」の文字よりなるものとするが、その書体はいかなるものでも差し支えない。また、文字表示部１の文字は、縦書き、横書きの如何を問わない。
【００１７】
文字表示部１は、好ましくは見舞用包装の表面上部に現われるが、文字表示部１の位置は随意である。
【００１８】
符号３に示すものは、古来、長寿の動物として尊ばれている鶴の図形を表示する図形表示部である。
【００１９】
図形表示部３は、一例として、見舞用包装の表面上部における文字表示部１の近傍に現われるが、図形表示部３の位置は随意である。
【００２０】
符号５に示すものは、色を付した線を表示する線表示部である。線は、単数本でも複数本でもよい。
【００２１】
線表示部５は、図示の事例においては見舞用包装の表面中央部に左右方向に形成されているが、線表示部５は見舞用包装の表面に上下方向に形成しても差し支えない。また、線表示部５の位置は随意である。
【００２２】
符号７に示すものは、見舞者、即ち見舞用包装を用いて人を見舞う者の氏名又は名称を表示する見舞者名表示部である。
【００２３】
見舞者名表示部７は、通常、見舞者が記入する。
【００２４】
見舞者名表示部７は、好ましくは見舞用包装の表面下部に現われるが、見舞者名表示部７の位置は随意である。また、見舞者名表示部７の文字は、縦書き、横書きの如何を問わない。
【００２５】
図１における見舞者名表示部７は、「山田正夫」という見舞者の氏名を表示してなるものである。
【００２６】
図２における見舞者名表示部７は、「株式会社井上商会」という見舞者の名称を表示してなるものである。
【図面の簡単な説明】
【００２７】
【図１】見舞用包装たるのし袋の一例を示す表面図である。
【図２】見舞用包装たるのし紙の一例を示す表面図である。
【符号の説明】
【００２８】
１  文字表示部
３  図形表示部
５  線表示部
７  見舞者名表示部
【図１】
0003110030.tif 000003
【図２】
0003110030.tif 000004
(57)【要約】      （修正有）【課題】自らの汗を外部に放出する事無く、他人に迷惑をかけない。又、災害時には防寒性、防風性に優れている為、毛布等を併用する事で耐寒性が確保出来るサウナ発汗袋を提供する。【解決手段】  材質が合成樹脂又は、合成繊維で形成されたシート、若しくは、フイルムで作られた袋の上端の開口周辺部に装着紐による、開閉結束可能な開口部一箇所のみ備えるか、又は、上端の開口周辺部にゴム紐を輪状に装着する事で、開閉自在な開口部を一箇所備える。更に、開口部の上端より上下縦方向に伸びる、ファスナー、釦、脱着自在の布テープ等を備える事で、脱着が容易に出来る。更に、二股に形成される足装着部を設ける事で、走行可能にし、何れも、上端の開口部以外は、縫製、熱溶解、接着剤等による手段を用いる事により、密封状態を保つ為。【選択図】図５
0003110085.tif 000002
【実用新案登録請求の範囲】
【請求項１】
材質が合成樹脂又は、合成繊維で形成されたシートもしくはフイルムで作られた袋の上端の開口周辺部に装着紐による、開閉結束可能な開口部を備え、更に、開口部の上端より上下縦方向に伸びる開閉可能な手段を備える事により、脱着が容易に出来、自らの汗を外部に放出しないサウナ発汗袋。
【請求項２】
上記材質で作られた、袋の上端の開口周辺部にゴム紐を輪状に装着する事で、開閉自在な開口部を備え、更に、開口部の上端より上下縦方向に伸びる、開閉可能な手段を備える事により、脱着が容易に出来、自らの汗を外部に放出しないサウナ発汗袋。
【請求項３】
上記、請求項１、請求項２に、二股に形成される足装着部を設け、歩行可能にし、何れも、上端の開口部以外は、接合手段による接着にて密封状態を保つサウナ発汗袋。
【考案の詳細な説明】
【技術分野】
【０００１】  この考案は、自らの汗及び熱を外部に放出しないサウナ発汗袋に関する。
【背景技術】
【０００２】  従来の物は、ただ単に体に巻きつけるシート状の物であったり、脱着に手間取る物、及び手足の開口部が複数在る為に、汗と熱が外部に漏れる欠点が有った。特にサウナルームを備えて居る大型銭湯などでの従来製品使用時に使用者の汗が大量にサウナルーム内の床に漏れる為、他のお客様の迷惑になる。一部の銭湯ではサウナシート禁止の所もある。他人に対する心使いならびに、基本的な礼儀等を考えるならば、このサウナ発汗袋は必要不可欠と思われる。
【考案が解決しようとする課題】
【０００３】  従来製品の課題として、手足の開口部が複数ある為に、汗と熱が外部に放出され、特に銭湯でのサウナの床を濡らす自らの汗が、他人の迷惑になり、脱着に手間取る。
【課題を解決するための手段】
【０００４】  材質が合成樹脂又は、合成繊維で形成されたシート、若しくは、フイルムで作られた袋の上端の開口周辺部に装着紐による、開閉結束可能な開口部を一箇所のみ備え、開口部の上端より上下縦方向に伸びる開閉可能な手段を備える事で、脱着が容易に出来、更に、自らの汗を外部に放出せず、他人に迷惑をかけない。
【０００５】  又は、上記材質で作られた、袋の上端の開口周辺部にゴム紐を輪状に装着する事で、開閉自在な開口部を一箇所のみ備え、開口部の上端より上下縦方向に伸びる、開閉可能な手段を備る事で、脱着が容易に出来、更に、自らの汗を外部に放出せず、他人に迷惑をかけない。
【０００６】  上記のサウナ発汗袋に、二股に形成される足装着部を設け、歩行可能にし、何れも、上端開口部以外は、接合手段による接着にて密封状態を保つ為、自らの汗を外部に放出せず、他人に迷惑をかけない。
【考案の効果】
【０００７】  上端の周辺部に装着紐による、開閉結束可能な開口部を備えるか、若しくは、ゴム紐を輪状に装着する事で、開閉自在な開口部を備え、更に、開口部の上端より上下縦方向に伸びる開閉可能な手段を備える事で、脱着が容易に出来る効果があり、二股に形成される足装着部を設ける事で、走行可能にし、何れも、上端の開口部以外は、接合手段による接着にて密封状態を保つ為、自らの汗を外部に放出する事無く、他人に迷惑をかけない。
【考案を実施するための最良の形態】
【０００８】  本考案の実施要領について、図面の実施例に基づいて詳述する。図１に基づいて述べると、上端開口周辺部に装着済み紐による開閉結束可能な開口部を備えている為、頭部以外は体全体をサウナ発汗袋の中に収めることが出来、更に、図１−４で示す通り、開口部の上端より、上下縦方向に伸びる開閉可能なファスナー、釦、脱着自在の布テープ等を備える事で、脱着が容易に出来、上端開口部以外は、縫製、熱溶解、接着剤等による接着にて密封状態を保つ為、自らの汗及び熱を外部に放出せず、最良の形態といえる。【０００９】  図３に基づいて述べると、袋の上端部開口周辺部にゴム紐を輪状に装着する事で、開閉自在な開口部を備えている為、頭部以外は体全体をサウナ発汗袋の中に収める事が出来、更に、図３−４で示す通り、開口部の上端より、上下縦方向に伸びる開閉可能なファスナー、釦、脱着自在の布テープ等を備える事で、脱着が容易に出来、上端開口部以外は、縫製、熱溶解、接着剤等による接着にて密封状態を保つ為、自らの汗及び熱を外部に放出せず、最良の形態といえる。【００１０】  図５に基づいて述べると、上端開口部は図１、図３の説明で述べた通りであるが、更に、図５−５に示す通り、二股に形成される足装着部を設け歩行可能にし、何れも、上端開口部以外は、縫製、熱溶解、接着剤等による接着にて密封状態を保つ事により、自らの汗及び熱を外部に放出せず、最良の形態といえる。
【産業上の利用可能性】
【００１１】この考案は、材質が合成樹脂又は、合成繊維で形成されたシート、若しくは、フイルムで作られているので、耐水性、耐酸性、防風性に優れ、軽く強度もあるため、サウナ発汗袋以外に、災害時の防寒、物入れ、寝袋代わりになる。又、毛布等を併用すれば防寒効果は大であり、災害支援物資としても、十分その機能と効果は発揮される。
【図面の簡単な説明】
【００１２】
【図１】本考案に係わる上端周辺部に、結束可能な装着紐付きサウナ発汗袋の図面。
【図２】本考案に係わる図１のサウナ発汗袋を装着した画。
【図３】本考案に係わる上端部に、ゴム紐自在開口部を備えたサウナ発汗袋の図面。
【図４】本考案に係わる図３のサウナ発汗袋を装着した画。
【図５】本考案に係わる上端周辺部に、結束可能な装着紐付き歩行可能サウナ発汗袋の図面。
【図６】本考案に係わる図５のサウナ発汗袋を装着した画。
【図７】本考案に係わる上端部に、ゴム紐自在開口部を備えた歩行可能サウナ発汗袋の図面。
【図８】本考案に係わる図７のサウナ発汗袋を装着した画。
【符号の説明】
【００１３】１    サウナ発汗袋本体
２    結束紐、又は、ゴム紐開閉部
３    密閉下部
４    開閉部
５    二股足装着部
【図１】
0003110085.tif 000003
【図２】
0003110085.tif 000004
【図３】
0003110085.tif 000005
【図４】
0003110085.tif 000006
【図５】
0003110085.tif 000007
【図６】
0003110085.tif 000008
【図７】
0003110085.tif 000009
【図８】
0003110085.tif 000010
(57)【要約】【課題】  飛行機の外部に搭乗者安全保護装置として取り付けるための、飛行機用外部エアバックを提供する。【解決手段】  機体の外回りに帯状のエアバックを設け、操縦席のスイッチを押すと一気に全てのエアバックに空気を入るようにすることを特徴とする飛行機用外部エアバック。【選択図】  図５
0003110092.tif 000002
【実用新案登録請求の範囲】
【請求項１】
機体の外回りに帯状のエアバックを設け、操縦席のスイッチを押すと一気に全てのエアバックに空気を入るようにすることを特徴とする飛行機用外部エアバック。
【考案の詳細な説明】
【技術分野】
【０００１】  本考案は、飛行機の外部に搭乗者安全保護装置として取り付けるための、飛行機用外部エアバックに関するものである。
【背景技術】
【０００２】  従来、飛行機が飛行中にエンジントラブルが発生したり車輪が出せなくなってしまったりして不時着や墜落することになった際、特効性のある装置がなくて、不時着するか墜落するしかなかった。
【考案の開示】
【考案を解決しようとする課題】
【０００３】  特効性のある装置がなくて、不時着するか墜落するしかなかった。
本考案は、以上の問題点を解決するためのものである。
【課題を解決するための手段】
【０００４】  機体の外回りに帯状のエアバックを設ける。そして、操縦席のスイッチを押すと一気に全てのエアバックに空気を入るようにする。以上を特徴とする飛行機用外部エアバックである。
【考案の効果】
【０００５】  機体の外部に設けてある帯状の膨張したエアバックがクッションとなり、どの面からの衝撃でもやわらげられるため、直接胴体から着陸する場合や垂直落下などの墜落の場合でも、搭乗者の死亡者や重軽傷者を最小限にとどめられることができる。
【考案を実施するための最良の形態】
【０００６】以下、本考案の実施の形態を説明する。
（イ）機体外部の上部に２列、左右に１列ずつ、下部に２列の帯状のエアバック（１）を設けて、その位置の装甲（２）間にエアバック格納室（３）を設ける。
（ロ）機体内部の下層部にエアタンク（４）を設けて、ホース（５）につなげる。
（ハ）噴射口（６）をホース（５）に、それぞれのエアバック格納室（３）のところに設ける。
本案は以上のような構造で、これを使用するときは、操縦席のスイッチを押すと、エアタンク（４）から空気がホース（５）に流れ込み、噴射口（６）から射出された空気の勢いでエアバック（１）がエアバック格納室（３）から飛び出して、すべてのエアバック（１）が膨張する。
【図面の簡単な説明】
【０００７】
【図１】本考案の斜視図（１）
【図２】本考案の斜視図（２）
【図３】本考案の使用状態を示す斜視図（１）
【図４】本考案の使用状態を示す斜視図（２）
【図５】本考案の使用状態を示す断面図
【符号の説明】
【０００８】    １    エアバック
２    装甲
３    エアバック格納室
４    エアタンク
５    ホース
６    噴射口
【図１】
0003110092.tif 000003
【図２】
0003110092.tif 000004
【図３】
0003110092.tif 000005
【図４】
0003110092.tif 000006
【図５】
0003110092.tif 000007
(57)【要約】      （修正有）【課題】お墓の蝋燭の火が消えがたく、風で飛ばされにくく、安価で使い捨て出来るような蝋燭立ての風防器具を提供する。【解決手段】空洞の透明な樹脂からなる円筒１で、上端２下端３の両端は開放されてある。円筒１の下部に数個の小さい空気取り入れ穴４を設け、下端の一部５に粘着テープ６を張りつける。【選択図】図１
0003110073.tif 000002
【実用新案登録請求の範囲】
【請求項１】
空洞の透明な樹脂からなる円筒形で、下部に数個の小さい空気取り入れ穴を設け、下端一部に粘着テ−プを張りつけてなるお墓用の蝋燭立ての風防器具。
【考案の詳細な説明】
【技術分野】
【０００１】  本考案はお墓用の蝋燭立ての風防器具に関する。
【背景技術】
【０００２】  従来お墓に使用される蝋燭立ては防風用になっていないため、風で蝋燭の火が消えやすく、販売されているものは高価であり、蝋燭の煤がついてあとで洗う必要があった。
【考案が解決しようとする課題】
【０００３】  本考案は風防により蝋燭の火が消えがたく、煤が付いた場合は使い捨てできるように安価にすることを課題とする。
【課題を解決するための手段】
【０００４】  空洞の透明な樹脂からなる円筒（１）で、上端（２）下端（３）の両端は開放されてある。円筒（１）の下部に数個の小さい空気取り入れ穴（４）を設け、下端の一部（５）に粘着テ−プ（６）を張りつける。
【考案の実施例】
【０００５】  お墓に蝋燭を立て火を付けたら、蝋燭が真ん中に来るように円筒（１）をかぶせ、下端（６）の粘着テ−プで墓石に固定する。火はあとで付けてもよい。
【発明の効果】
【０００６】  円筒（１）があるので風を防ぎ、風によって火は消えがたくなり、空気取り入れ穴があるので、蝋燭の火が酸素欠乏によって消えることもない。また円筒（１）は軽量なので風に飛ばされる恐れがあるが、粘着テ−プ（６）で固定されているので、普通の風で飛ばされることがない。また安価に作ることができるので煤など付いた場合使い捨てにすることもできる。
【図面の簡単な説明】
【図１】  本案の斜視図
【図２】  使用図
【符号の説明】
（１）  円筒
（２）  上端
（３）  下端
（４）  空気取り入れ穴
（５）  下端の一部
（６）  粘着テ−プ
【図１】
0003110073.tif 000003
【図２】
0003110073.tif 000004
(57)【要約】【課題】  一般的に冷やしそうめん、うどん等麺類の盛り合わせに各個人の箸で使用されている。【解決手段】  フォークの先端部を丸型状に作りリング上部５ヶ所を尖らせ、山形の形状を作り６ヶ所部分は谷間を作り麺類等分量が適度に取れて落下しないフォークである。【選択図】  図１
0003110075.tif 000002
【実用新案登録請求の範囲】
【請求項１】
フォークの先端部を丸型の形状にして、リング上部に尖らせた５本を爪のように作成し、山・谷間のようにし丸型にしたフォークは、冷麦やうどん等自由な分量で落下せず器に移動させる事が出来る。
【考案の詳細な説明】
【技術分野】
【００１】  本考案は先端部を丸型にしてリング上部に尖らせた爪を作り、山・谷間が出来る丸型フォークである。
【背景技術】
【００２】  一般のフォークでは先端部の形状が単一的であり使用効果は類似的且つ単的であった。
【考案の開示】
【００３】  形状丸型フォークは通常の物より分量が適度に運び出来る。（麺類等）
【課題を解決するための手段】
【００４】  一つのフォークで家族全員が使用出来て各人箸の入り乱れが無くて良い。
【考案の効果】
【００５】  形状丸型フォークは子供・お年よりも自由に使用出来て衛生的でもある。
【考案を実地するための最良の形状】
【００６】  本考案は箸を試用せずに麺類の分量が簡単に取れる。
【実地の例】
【００７】  本考案の実地例は上述に改良した丸型形状フォークである。
【産業状の利用可能性】
【００８】  丸型形状フォークとして家族はもとより大勢の食事用には必要的で衛生的に良い。
【図面の簡単な説明】
【００９】
【図１】本考案の丸型形状フォークである。
【符号の説明】
【０１０】  １．フォークの本体
２．丸型形状のデザイン
３．リング上部分に５本の尖らせた先端
４．手持ちの部分を長い持ち棒にした
【図１】
0003110075.tif 000003
【手続補正書】
【提出日】平成17年2月4日(2005.2.4)
【手続補正１】
【補正対象書類名】実用新案登録請求の範囲
【補正対象項目名】請求項１、
【補正方法】変更
【補正の内容】
〔請求項１、〕
フォークの先端部を丸型の形状にしてリング上部に尖らせた５本を爪のように作成し山谷間のようにし丸型ワンマンフォーク
(57)【要約】【課題】  キー入力やマウス操作時に、手首などへの疲労を軽減させ、スムーズなキー入力やマウス操作が可能となり、また任意で表面に宣伝を掲載すれば、ノベルティ商品として効果的な商品となる。【解決手段】  本考案はフェルト生地等適宣素材２とその低部にすべる素材３を一体化させたリストパット本体１に手の甲あるいは手首４をのせてキーボード５もしくはマウス６を操作することにより操作時の手首等への疲労を軽減させることができ、さらに、任意でリストパットの表面に文字や写真などを入れることにより、ノベルティ商品となる。【選択図】  図２
0003110066.tif 000002
【実用新案登録請求の範囲】
【請求項１】
パソコンなどへのキー入力やマウス操作時に適宜の大きさで底部にすべる素材を有するリストパットを手の甲や手首などに当てることにより、キー入力やマウス操作をスムーズにさせるとともに、操作時の手首等への疲労を軽減させ、さらに、任意により、表面に文字や写真などを入れることにより、ノベルティ商品としての特徴を有するリストパット。
【考案の詳細な説明】
【技術分野】
【０００１】  本発明は、パソコンなどへのキー入力やマウス操作時に手首等への疲労を軽減させるとともに、リストパットの底部がすべるため、リズミカルなキー入力やマウス操作ができ、さらに、任意でリストパットの表面に文字や写真などを入れることにより、ノベルティ商品としての特徴を有するリストパットに関する。
【背景技術】
【０００２】  従来のキー入力やマウス操作は、手首の下にゼリー状のものをのせるなどして手首への負担を軽減させていた。
【考案の開示】
【考案が解決しようとする課題】
【０００３】  パソコンなどへのキー入力やマウス操作は、手首などへの疲労が溜まり易いため、疲労しにくくスムーズな操作が可能なものの開発が強く切望されている。また、企業が宣伝する上で、宣伝効果の高いノベルティ商品の開発も強く切望されている。【０００４】  本考案は、リストパットの底部にすべる素材を設け、手の甲や手首などをリストパットの上に置くことにより、スムーズなキー入力やマウス操作を可能とし、操作時の手首等への疲労を軽減させることができ、さらに、任意でリストパットの表面に文字や写真などを入れることにより、宣伝等に効果的なノベルティ商品としての特徴も有することにより問題点を解決している。【０００５】  上述のように、本考案のリストパットに手の甲や手首などを置くことにより疲労を軽減できるのは勿論、リストパットの底部にすべる素材を設けたので、リズミカルなキー入力やマウス操作ができ、しかも任意でリストパットの表面に文字や写真などを入れることにより、ノベルティ商品として役立つ。【０００６】  キー入力やマウス操作を行う際に、手の甲や手首などをリストパットの上に置き、のせながら操作する。手の甲や手首をリストパットにのせて操作できるため、疲労を軽減させるとともに、任意でリストパットの表面に文字や写真などを入れることにより、ノベルティ商品となる。
【実施例】
【０００７】  以下、添付図面に従って一実施例を説明する。１はフェルト生地等適宣素材２と底部にすべる素材３を一体化させたリストパット本体、１に手の甲あるいは手首４をのせてキーボード５もしくはマウス６を操作する。【０００８】  リストパット本体１の表面にシールもしくは印刷等７により、自在に表現することができる。すなわち、ノベルティ商品としてその使用価値は極めて大きい。【０００９】  本発明の一実施形態は上述の如き構成からなるものであるから、リストパット本体１はスムーズなキー入力やマウス操作を可能とし、操作時の手首等への疲労を軽減させることができ、さらに、任意でリストパットの表面に文字や写真などを入れることによりノベルティ商品となる。
【図面の簡単な説明】
【００１０】
【図１】リストパットの図である。
【図２】キーボード入力時の一実施例である。
【図３】マウス使用時の一実施例である。
【符号の説明】
【００１１】１  リストパット本体
２  フェルト生地等適宣素材
３  すべる素材
４  手の甲あるいは手首
５  キーボード
６  マウス
７  表面にシールもしくは印刷等
【図１】
0003110066.tif 000003
【図２】
0003110066.tif 000004
【図３】
0003110066.tif 000005
【手続補正書】
【提出日】平成16年2月5日(2004.2.5)
【手続補正１】
【補正対象書類名】実用新案登録請求の範囲
【補正対象項目名】全文
【補正方法】変更
【補正の内容】
【実用新案登録請求の範囲】
【請求項１】
適宜の大きさを有するパット本体の底面には、滑り易くした素材を用い、表面の手の甲や手首などが当たる部分は、フェルト等の手に馴染みやすい素材で構成し、さらに、任意により、表面に文字や写真などの印刷等を施すことにより、ノベルティ商品としての特徴を有するリストパット。
(57)【要約】      （修正有）【課題】竹とんぼの羽根を利用したボタン。【解決手段】玩具として使われている竹とんぼの羽根を利用した洋服用のボタン。【選択図】図１
0003110068.tif 000002
【実用新案登録請求の範囲】
【請求項１】
竹とんぼの羽根を利用したボタン
【考案の詳細な説明】
【考案の詳細な説明】
この考案は竹とんぼの羽根を利用して洋服のボタンとして利用します。
通常玩具として使われている、竹とんぼの羽根を洋服のボタンとして利用したものである。
本考案はこの様に利用方法を異なるものに使用した考案である。
【図面の簡単な説明】
【図１】    本考案の正面図である。
【図２】    本考案は作成前の部品図である。
【符号の説明】
【図１】
0003110068.tif 000003
【図２】
0003110068.tif 000004
(57)【要約】【課題】  ゴルフクラブは日常持ち歩き難いので、日常持ち歩き易い傘にゴルフクラブのグリップを握った感触を体得できる機能を付与する。【解決手段】  傘の中軸２の柄１の部分にゴルフクラブのグリップを取付け、さらに中軸２をゴルフクラブのシャフトで形成し、石突３部分に錘７を取付ける。  傘は、雨傘、日傘のいずれであってもよい。  傘の柄１を握った感触が、ゴルフクラブのグリップを握った感触と変わらず、常時ゴルフクラブのグリップを握った状態になる。【選択図】  図１
0003110052.tif 000002
【実用新案登録請求の範囲】
【請求項１】
傘の中軸の柄の部分にゴルフクラブのグリップを取付けてなる傘。
【請求項２】
前記中軸をゴルフクラブのシャフトにより形成してなる請求項１記載の傘。
【請求項３】
前記中軸の石突の部分に錘を取付けてなる請求項１記載の傘。
【考案の詳細な説明】
【技術分野】
【０００１】
本考案は、雨傘、及び日傘（以下これらを総称し傘と呼ぶ）の改良に関する。
【背景技術】
【０００２】
ゴルフプレーヤにとってゴルフクラブのグリップを握った感触は重要であり、プロのプレーヤのなかには、常時握っている者もいるほどである。
【０００３】
しかし、素人では通勤や買い物などの日常、ゴルフクラブを持ち歩くわけにはいかず、ゴルフクラブのグリップを握った感触を忘れがちになる。
【考案の開示】
【考案が解決しようとする課題】
【０００４】
一方、雨傘や日傘は、日常持ち歩いていても違和感がなく、長さもゴルフクラブに近く、雨傘を使用してゴルフのスイングの練習をする者までいるほどである。
【０００５】
そこで、本考案は、傘にゴルフクラブを握る機能を付与することで、日常持ち歩きながらゴルフクラブのグリップを握った感触を体得できるようにすることを目的とする。
【課題を解決するための手段】
【０００６】
上記目的を達成するために請求項１の考案は、傘の中軸の柄の部分にゴルフクラブのグリップを取付ける。
傘の柄を握った感触がゴルフクラブのグリップを握った感触と同じなので、傘を携帯中にゴルフクラブのグリップを握った感触を体得できる。
請求項２の傘は、前記請求項１に加え、中軸をゴルフクラブのシャフトで形成する。
請求項３の傘は、前記請求項１に加え、傘の石突部分に錘を取付ける。
【考案の効果】
【０００７】
本考案は、上記のように柄をゴルフクラブのグリップと同じにしたので、傘を携帯している間にゴルフクラブのグリップを握った感触を体得できる。
また、傘を使用中、風を受けると、グリップを握った状態での手首の使用方法を自然に体得できる。
さらに、本考案の傘を使用して雨天でプレーすると、常時ゴルフクラブを握っているかのような感触があり、プレーヤーは一度体得したグリップの感触を忘れず円滑なプレーを行えるという効果を奏する。
【０００８】
請求項２，３のように形成すると、ゴルフクラブに一層近似し、グリップを握った感触が本物のクラブにさらに近づく。
【考案を実施するための最良の形態】
【０００９】
図１は本考案を実施したゴルフ用傘の正面図、図２はその要部拡大断面図である。
本考案のゴルフ用傘は通常の傘と同様に、柄１、中軸２、石突３、親骨（図示せず）、受骨（図示せず）、生地４、露先５などからなる。
【００１０】
柄１は、ゴルフクラブのグリップを使用する。
柄１以外の部分については、中軸２をゴルフクラブのシャフトより細くするなど、通常の傘と同様に形成する。
ただし、以下のようにするとよりゴルフクラブのグリップを握った感触に近くなる。
【００１１】
すなわち、中軸２は、ゴルフクラブのシャフトを使用し、材質をグラスファイバーやカーボンファイバー等にする。
柄１および中軸２の取付けは、ゴルフクラブのグリップとシャフトとの取付けと同様にする。すなわち、中軸２の先端部に接着剤を塗布したり、両面接着テープを巻きつけるなどして接着層６を形成する。柄１の中心の孔１ａにこの接着層６を形成した中軸２の先端部を挿入し固定する。
中軸２が細い場合は、接着層６を厚くし、柄１をしっかりと固定する。
さらに、石突３の部分に錘７を取付けて（図３参照）、クラブのヘッド部分の重さに近付ける。
なお、錘７は傘の使用を妨げないように円筒形に形成し、石突３の外周にはめ込んで取り付ける。
【００１２】
かかる傘を雨天のプレー中に使用する場合は、ゴルフクラブのグリップを握ってプレーした後すぐに傘の柄１を握り、傘を差し移動した後またゴルフクラブのグリップを握る。  
このようにゴルフクラブか傘をいつも握った状態でプレーを続けるのである。
【００１３】
本考案の傘の柄１はゴルフクラブのグリップを使用しているので、傘をさしてもグリップの握りの感触を忘れることがない。
さらに、中軸２をゴルフクラブのシャフトで形成すると、傘を差していてもゴルフクラブを握っているかのような感触をよりプレーヤーに与えることができる。
また、通常の傘の柄と違い、柄１が中軸２にしっかりと固定され無闇に回動せず、ゴルフクラブを握っている感触に近い。
【００１４】
かかる傘を日常に使用する場合は、傘を持っていながら、ゴルフクラブのグリップを握った感触を体得できる。また、傘をさした状態では、傘が風を受け前後左右に傾くのを、手首を使用して防止することとなり、これによって、グリップを握った状態での手首の使用方法を体得できる。
【図面の簡単な説明】
【００１５】
【図１】本考案のゴルフ用傘の全体正面図である。
【図２】図1の要部拡大断面図である。
【図３】錘を取付けた石突部分の拡大図である。
【符号の説明】
【００１６】
１    柄
２    中軸
３    石突
４    生地
５    露先
６    接着層
７    錘
【図１】
0003110052.tif 000003
【図２】
0003110052.tif 000004
【図３】
0003110052.tif 000005
(57)【要約】      （修正有）【課題】使用後にインテリア用品として再利用が可能な籠盛の提供。【解決手段】この考案の籠盛は、電源１を内側に配置したとき、電源１の光が透過可能な側壁２を備えた筒体３の後部上端部に、間隔を置いて、身４の上縁にフランジ部５を設けた箱体６の裏側上部を傾斜して支持するための枠体７の支柱８，８の基部を嵌入する筒状部材９，９を取付け、筒状部材９，９と対向する位置の筒体３の前部上端部に、箱体６の裏側前部を掛止する突起１０，１０を設けている。【選択図】図４
0003110017.tif 000002
【実用新案登録請求の範囲】
【請求項１】
電灯又は回転灯等からなる電源（１）を内側に配置したとき、該電源（１）の光が透過可能な側壁（２）を備えた筒体（３）の後部上端部に間隔を置いて、身（４）の上縁にフランジ部（５）を設けた箱体（６）の裏側上部を傾斜して支持するための枠体（７）の支柱（８，８）の基部を嵌入する筒状部材（９，９）を取付け、該筒状部材（９，９）と対向する位置の前記筒体（３）の前部上端部に、前記箱体（６）の裏側前部を掛止する突起（１０，１０）を設けていることを特徴とする籠盛
【考案の詳細な説明】
【技術分野】
【０００１】
この考案は、法事やお盆等の仏事の際に、使用する籠盛に関するものである。
【背景技術】
【０００２】
従来、籠盛は、プラスチック、木材、紙等の複合部材から構成されており（例えば、特許文献１参照。）、使用後は、籠盛に盛っていた果物、菓子、缶詰等のお供え物を除いた残りは、廃棄物として、処理していたので、次のような問題があった。
【０００３】
（１）籠盛を解体し、不燃物と可燃物に仕分ける処理作業が面倒である。
（２）再利用ができない。
（３）資源の無駄使いとなる。
【特許文献１】特開２００３−１３５２５６号公報
【考案の開示】
【考案が解決しようとする課題】
【０００４】
この考案は、背景技術で記述した問題を解消するためになされたもので、使用後に、インテリア用品として再利用が可能な籠盛の提供を目的とするものである。
【課題を解決するための手段】
【０００５】
この考案の籠盛は、電灯又は回転灯等からなる電源を内側に配置したとき、該電源の光が透過可能な側壁を備えた筒体の後部上端部に間隔を置いて、身の上縁にフランジ部を設けた箱体の裏側上部を傾斜して支持するための枠体の支柱の基部を嵌入する筒状部材を取付け、該筒状部材と対向する位置の前記筒体の前部上端部に、前記箱体の裏側前部を掛止する突起を設けていることを特徴とするものである。
【考案の効果】
【０００６】
この考案は上述のように構成されているので、次のような効果を呈する。
（１）箱体の筒体への着脱がワンタッチで行える。
（２）使用後、箱体を除去した筒体は、インテリア用品の行燈としての再利用が可能である。
（３）廃棄物の量を減少でき、経済的である。
【考案を実施するための最良の形態】
【０００７】
使用後にインテイア用品として再利用が可能な籠盛の提供という目的を、電灯又は回転灯等からなる電源を内側に配置したとき、該電源の光が透過可能な側壁を備えた筒体を使用することによって実現できた。
【実施例】
【０００８】
この考案の実施の形態の一例を図面を参照しながら説明するに、筒体３は、図１に示すように、電灯又は回転灯等からなる電源１を内側に配置したとき、電源１の光が透過可能な側壁２を備えた構成になっている。
【０００９】
図１に示す側壁２は、例えば、ラタンや竹皮を編んだ網目部ａとラタンや竹皮等を間隔を置いて、直列に並べた直列部ｂから構成されているが、この構成に限定されるものではなく、網目部ａだけ、または直列部ｂだけでもよく、または適宜な模様等を織り込んでもよく、インテリア用品の行燈として再使用するときに、視覚を通じて美観を感じるような構成のものであれば、全て適用できる。
【００１０】
なお、図示は省略したが、光源１の光を和らげるために、透光性の布等を内張りしてもよい。
【００１１】
筒体３の後部上端部に間隔を置いて、図２に示すように、身４の上縁にフランジ部５を設けた箱体６の裏側上部を、例えば、図４に示すように、傾斜して支持するための、例えば、図３に示すような枠体７の支柱８，８の基部を嵌入する筒状部材９，９を取付け、筒状部材９，９と対向する位置の筒体３の前部上端部に、箱体６の裏側前部を、例えば、図４に示すように、掛止する突起１０，１０を設けている。
【００１２】
なお、図３に示す枠体７の構成は、一例であって、これに限定されるものではなく、箱体６を傾斜して支持できる構成のものであれば、全て適用できる。
【００１３】
箱体６のフランジ部５に、例えば、図２に示すように、矢板１１を挿入するための切欠１２を設け、切欠１２に矢板１１を挿入したとき、矢板１１の基部が当接する箱体６の身４の外側面１３に、図４に示すように、ストッパ−１４を設けている。
【００１４】
実施に際しては、図４に示すように、筒体３の筒状部材９，９に、枠体７の支柱８，８の基部を嵌入したのち、箱体６の裏側前部を、突起１０，１０に掛止し、箱体６の裏側上部を枠体７に立てかけ、矢板１１を箱体６の切欠１２に挿入し、矢板１１の基部をストッパ−１４に掛止すれば、籠盛の組立は終了する。
【００１５】
使用後は、箱体６を筒体３から除去するだけで、ワンタッチで解体処理ができ、筒体３は、インテリア用品の行燈として再利用することができる。
【００１６】
なお、当然のことではあるが、お供え物は、箱体６の身４の部分に収納される。本例では、角状の筒体６を例示したが、これに限定されるものではなく、円筒状のものであってもよい。
【産業上の利用可能性】
【００１７】
この考案は上述のように構成されているので、使用後は、インテリア用品の行燈としての再利用が可能である。
【図面の簡単な説明】
【００１８】
【図１】筒体の概略斜視図
【図２】箱体の概略斜視図
【図３】枠体の概略斜視図
【図４】使用状態を示す側面図
【符号の説明】
【００１９】
１ 光源
２ 側壁
３ 筒体
４ 身
５ フランジ部
６ 箱体
７ 枠体
８ 支柱
９ 筒状部材
１０ 突起
１１ 矢板
１２ 切欠
１３ 箱体の身の外側面
１４ ストッパ−
ａ 網目部
ｂ 直列部
【図１】
0003110017.tif 000003
【図２】
0003110017.tif 000004
【図３】
0003110017.tif 000005
【図４】
0003110017.tif 000006
(57)【要約】【課題】構造が簡単であって安価に製造することができると共に、小型であり、使用者に圧迫感を与えることがなく、使用者が安心して就寝することができるようにした就寝者保護具を提供する。【解決手段】一対の基部１、１と、該基部１、１間に跨設された就寝者保護部３とよりなる自立性を備えた就寝者保護具。基部１と就寝者保護部３は、好ましくは、それぞれアルミニウム等の金属管の外面にゴム等の柔軟層を形成してなるものとするが、例えば適宜の合成樹脂、竹材、木材等により形成してもよい。基部１は、一例として、棒状体とするが、基部１は板状体その他如何なる形状を備えたものであっても差し支えない。就寝者保護部３は、一例として略円弧状に形成するが、就寝者保護部３の形状は略円弧状に限定されるものではなく、例えば略コ字状に形成しても差し支えない。【選択図】図１
0003110247.tif 000002
【実用新案登録請求の範囲】
【請求項１】
一対の基部と、該基部間に跨設された就寝者保護部とよりなる自立性を備えた就寝者保護具。
【考案の詳細な説明】
【技術分野】
【０００１】
本考案は、就寝者保護具に関するものであり、更に詳しくは、地震発生時にタンスその他の家具等が倒れた際に、該家具等の近傍で寝ている就寝者を保護するようにした就寝者保護具に係るものである。
【背景技術】
【０００２】
地震発生時にタンスその他の家具等がその近傍で寝ている就寝者上に倒れた場合には、該就寝者の生命ないし身体に重大な影響を及ぼすおそれがある。
【０００３】
特開２００１−２９１７６号公報は、地震発生時にベッド上の就寝者を落下物から保護するようにしたベッド用就寝者保護装置（以下、「従来のベッド用就寝者保護装置」という。）を開示している。
【０００４】
従来のベッド用就寝者保護装置は、ガイドフレーム、防護パネル、ワイヤ部材、ドラム、モータ、駆動装置等を備えている。
【特許文献１】特開２００１−２９１７６号公報
【考案の開示】
【考案が解決しようとする課題】
【０００５】
従来のベッド用就寝者保護装置においては、次のような問題がある。
【０００６】
（イ）従来のベッド用就寝者保護装置は、ガイドフレーム、防護パネル、ワイヤ部材、ドラム、モータ、駆動装置等を備えた大掛かりなものであり、製造コストが嵩む。
【０００７】
（ロ）従来のベッド用就寝者保護装置は、大型のものであり、これをベッドの近傍に配設したときには、使用者に圧迫感を与える。
【０００８】
（ハ）従来のベッド用就寝者保護装置は、大きなスペースを取るため、ベッドの非使用時には邪魔となる。
【０００９】
本考案は、従来のベッド用就寝者保護装置における上述の如き問題を解決し、小型かつ安価な就寝者保護具を提供しようとしてなされたものである。
【課題を解決するための手段】
【００１０】
上記課題を解決するために、本考案は、下記の就寝者保護具を提供する。
【００１１】
一対の基部と、該基部間に跨設された就寝者保護部とよりなる自立性を備えた就寝者保護具。
【００１２】
［考案の作用］
本考案による就寝者保護具は、例えば、就寝者保護部が就寝者の身体の上方に位置するように各基部を布団の両側近傍の畳上に配設し、又は、布団における就寝者の頭部側端の近傍に配設する。
【００１３】
就寝者保護部が就寝者の身体の上方に位置するように各基部を布団の両側近傍の畳上に配設したときには、就寝者保護部は布団を跨いだ状態で就寝者の身体の上方に位置する。就寝者保護具はこの状態で自立する。
【００１４】
就寝者保護具をこのように配設したときには、地震発生時にタンスその他の家具等が布団に寝ている就寝者の身体上に倒れかかった際に、就寝者の身体の上方に位置する就寝者保護部が就寝者の身体を保護する。即ち、該家具等が就寝者保護部に当接することにより、該家具等が就寝者の身体を直撃することが避けられる。
【００１５】
就寝者保護具を布団における就寝者の頭部側端の近傍に自立状態で配設したときには、地震発生時にタンスその他の家具等が布団に寝ている就寝者の頭部上に倒れかかった際に、就寝者の頭部の近傍に位置する就寝者保護部が就寝者の頭部を保護する。即ち、該家具等が就寝者保護部に当接することにより、該家具等が就寝者の頭部を直撃することが避けられる。
【考案の効果】
【００１６】
本考案による就寝者保護具は、構造が簡単であって安価に製造することができると共に、小型であり、使用者に圧迫感を与えることがなく、使用者は安心して就寝することができる。また、本考案による就寝者保護具は、非使用時には、押入れ等の収納スペースに容易に収納することができる。
【考案を実施するための最良の形態】
【００１７】
本考案による就寝者保護具は、一対の基部１、１と、該基部１、１間に跨設された就寝者保護部３とよりなるものであり、自立性を備えている。
【００１８】
基部１と就寝者保護部３は、好ましくは、図４に示すように、それぞれアルミニウム等の金属管５の外面にゴム等の柔軟層６を形成してなるものとするが、例えば適宜の合成樹脂、竹材、木材等により形成してもよい。
【００１９】
基部１は、一例として、棒状体とするが、基部１は板状体その他如何なる形状を備えたものであっても差し支えない。
【００２０】
就寝者保護部３は、一例として略円弧状に形成するが、就寝者保護部３の形状は略円弧状に限定されるものではなく、例えば略コ字状に形成しても差し支えない。
【００２１】
符号７に示すものは就寝者であり、符号９に示すものは就寝者７の頭部である。また、符号１１に示すものは敷き布団、符号１３に示すものは掛け布団、符号１５に示すものは枕である。
【００２２】
就寝者保護部３が就寝者７の身体の上方に位置するように各基部１、１を敷き布団１１、掛け布団１３の両側近傍の畳上に配設する場合には、該基部１、１間の間隔は敷き布団１１ないし掛け布団１３の幅よりも一例として２０ｃｍ広くなし、就寝者保護部３の畳上面からの高さは一例として６０ｃｍとする。
【００２３】
就寝者保護具を敷き布団１１における就寝者７の頭部９側端１１ａの近傍に配設する場合には、基部１、１間の間隔は例えば５０〜６０ｃｍとし、就寝者保護部３の畳上面からの高さは一例として３０ｃｍとする。この場合には、冬季においては、就寝者保護部３上に例えば「ちゃんちゃんこ」等を防寒用に掛けてもよい。
【００２４】
なお、就寝者保護具の使用数、配設位置等は使用者の随意である。
【図面の簡単な説明】
【００２５】
【図１】本考案による就寝者保護具の一例を示す斜視図である。
【図２】同上就寝者保護具の使用状態の一例を示す平面図である。
【図３】同上就寝者保護具の使用状態の別の一例を示す側面図である。
【図４】同上就寝者保護具の断面図である。
【符号の説明】
【００２６】
１  基部
３  就寝者保護部
５  金属管
６  柔軟層
７  就寝者
９  頭部
１１  敷き布団
１１ａ  頭部側端
１３  掛け布団
１５  枕
【図１】
0003110247.tif 000003
【図２】
0003110247.tif 000004
【図３】
0003110247.tif 000005
【図４】
0003110247.tif 000006
(57)【要約】      （修正有）【課題】磁力を用いることで簡便かつ強力に装着できる貴金属止め具を提供する。【解決手段】結合力として磁力を用いず、パーツの凹凸のかみ合わせで結合する。これで引っ張り方向に対して十分な強度を得る。磁力はその補助力として、パーツが外れることを防止する。また、鎖、ひも等の結合部を可動機構とすることで、鎖、ひも等のよじれによるパーツの脱落を防止する。【選択図】図２
0003110206.tif 000002
【実用新案登録請求の範囲】
【請求項１】
１対のパーツに凹凸をつけ、そのかみ合わせを磁力で補助し、鎖、ひも等との結合部の可動機構でよじれから起こる脱落を防止した、手でひねることで簡単に着脱できる装身具用の止め具。
【考案の詳細な説明】
【考案の詳細な説明】
【技術分野】
【０００１】  本考案は磁石を用いた装身具用止め具に関するものである。
【背景技術】
【０００２】  従来の技術として、磁石を用いた貴金属用止め具がいくつか知られている。
【考案が解決しようとする課題】
【０００３】  しかしながら、磁力そのものを結合力として用いるものはその強度に問題があった。また、それを克服するための機構により、磁力での結合と言う簡便さを失わせるものもあった。
【０００４】  本考案の目的は、磁力を用いることで簡便かつ強力に装着できる貴金属止め具を提供することである。
【課題を解決する手段】
【０００５】  本考案は、図６のように各パーツをかみ合わせ、主たる結合力をパーツ凹部（２）凸部（４）のかみ合わせによるものとし、鎖、ひも等の引っ張り方向に対して強い結合力を得る。磁石（３）はそれが９０度方向に外れないようにする補助力として用いる。さらに鎖、ひも等と結合する丸カン部（１）を別パーツにして後ではめ込むことで、可動機構とし、鎖のよじれによってパーツが外れることを防止する。
【実施例】
【０００６】  図６の通りである。
【考案の効果】
【０００７】  磁力そのものを結合力とせず、凹部（２）凸部（４）のかみ合わせ部分で結合することで、鎖、ひも等の引っ張り方向に対して十分に強力な結合力を得ることができた。また、機構部を簡素化することで、各パーツの鎖、ひも結合部の下部をつまみ、ひねるだけで外れると言う簡便さが得られ、小型化もできた。また、鎖、ひも等と結合する丸カン部（１）の可動機構で鎖のよじれからパーツの脱落を防ぐことができた。さらに鎖、ひもとの結合部や、鎖、ひも自体の損傷を避ける効果も得られた。
【図面の簡単な説明】
【図１】  鎖、ひも等を結合する丸カン
【図２】  丸カンを組み立てた止め具の正面図
【図３】  丸カンを組み立てた止め具の側面図
【図４】  丸カンを組み立てた止め具の上面図
【図５】  丸カンを組み立てた止め具の底面図
【図６】  止め具を二つかみ合わせた状態、すなわち装着時での側面図
【符号の説明】
１  鎖、ひも等を結合する丸カン部
２  パーツ凹部
３  磁石埋め込み部
４  パーツ凸部
【図１】
0003110206.tif 000003
【図２】
0003110206.tif 000004
【図３】
0003110206.tif 000005
【図４】
0003110206.tif 000006
【図５】
0003110206.tif 000007
【図６】
0003110206.tif 000008
(57)【要約】【課題】  本考案は、光源の光の色や輝光を変化させて、車内空間を様々な雰囲気に演出することの出来るシャンデリア装置を提供する。【解決手段】  光源に複数個の色の異なる高輝度ＬＥＤと複数個の多色発光ＬＥＤを使用して、各ＬＥＤの発光色や輝光を変化させることで光の色が単色から複数色へ変化したり、複数の発光色が位置を変えて点滅したりして、装飾部材である多面カット透明体にその光を透過、反射、屈折させて様々な表示パターンを作り出して上記の課題を解決するものである。【選択図】  図１
0003110218.tif 000002
【実用新案登録請求の範囲】
【請求項１】
光源に複数個の色の異なる高輝度ＬＥＤと複数個の多色発光ＬＥＤを有する車両用シャンデリア装置であって、各ＬＥＤの発光色や輝光を変えることで光の色を単色から複数色へ変化させたり、複数の発光色が位置を変えて点滅させて装飾部材である多面カット透明体に透過、反射、屈折することで光の色や質の表示パターンの変化を楽しめるように制御出来るシャンデリア装置。
【請求項２】
上記シャンデリア装置において、中心部寄りにサークル状に複数個垂れ下がった装飾部１５と、その外側にＵ字形に垂れ下がった装飾部１３が複数個放射状に配置され、外枠１１も多面カット透明体となる表面全体が光を透過、反射、屈折することを特徴とする請求項目１に記載したシャンデリア装置。
【考案の詳細な説明】
【考案の詳細な説明】
【技術分野】
【０００１】    本考案は、主に車内で用いるシャンデリア装置に関するものである。
【背景技術】
【０００２】    近年車室の高いミニバンなどのブームで車室内の雰囲気を演出する為の照明が求められるようになってきた。しかし、照明がＯＮ、ＯＦＦ切替の画一的パターンで空間に光の変化を創出できなかった。
【考案が解決しようとする課題】
【０００３】    上記従来の照明器具の光源には電球、蛍光管、単色ＬＥＤなどが使われていて光の色や輝光を変化させることは困難で、車内空間を様々な雰囲気に演出するには問題が有った。
【０００４】  本考案は、このような従来の問題を解決しようとするもので、シャンデリアの放つ光の色や輝光を多種多様に変化させて車内空間を様々な雰囲気に演出することを提供出来る。
【課題を解決するための手段】
【０００５】  本考案は、光源に複数個の色の異なる高輝度ＬＥＤと複数個の多色発光ＬＥＤを有するシャンデリア装置で、各ＬＥＤの発光色や輝光を変えることで光の色を単色から複数色へ変化させたり、複数の発光色が位置を変えて点滅して装飾部材である多面カット透明体に透過、反射、屈折する光の色や輝光の質の表示パターンの変化を制御する事で上記の課題を解決するものである。
【実施例】
【０００６】  本考案のシャンデリア装置１０は、図１に示すように外枠１１の内側に連結リング１３Ｂで連結された多面カット透明部材１３Ａを有した装飾部１３が両端を固定されＵ字形に垂れ下がって複数個放射状に配列されている。また、中心部には連結リング１５Ｂで連結された多面カット透明部材１５Ａを有した装飾部１５と装飾部１３の間には装飾部１４がそれぞれサークル状に垂れ下がっている。【０００７】  図２に示すように、光源は装飾部１３側に多色発光ＬＥＤ１７と装飾部１５側に高輝度ＬＥＤ１８がそれぞれリング状に複数個配列されている。【０００８】  図３に示すように、装飾部１３側の多色発光ＬＥＤ１７は基盤１２に取付けられＵ字形に垂れ下がった装飾部１３の内側に取付けられている。装飾部１５側の高輝度ＬＥＤ１８は基盤１２の中心部の台座１８Ａに取付けられている。【０００９】  装飾部１３側の多色発光ＬＥＤ１７は白色と多色発光ＬＥＤが一組単位で制御されていて、他の多色発光ＬＥＤ１７とは別の発光色を同時に点灯出来る。【００１０】  装飾部１５の高輝度ＬＥＤ１８は、単色ＬＥＤを発光色数を一組とした単位で制御されていて、上記の多色発光ＬＥＤ同様に他の組の高輝度ＬＥＤ１８とは別の発光色を同時に点灯出来る。【００１１】  図４は車両天井２０にシャンデリア装置を取付けた状態であって、図３に示す天井取付板１２Ｂをまず車両天井２０のルームランプ位置取付けて、基盤裏板１２Ａを天井取付板１２Ｂ取付けることで、画一的でない光の色や質の変化を演出出来るシャンデリア装置を提供することが出来る。
【考案の効果】
【００１２】  以上のように、請求項１記載の考案によれば、シャンデリア装置の光源に多色発光ＬＥＤと高輝度ＬＥＤを複数個組合わせて発光時間や発光順番を制御することで光の色や質の変化を楽しめる車内空間を演出出来る。また、請求項２記載の考案によれば、外枠も含めた表面全体を多面カット透明体の装飾にすることで、光の透過、反射、屈折がより広がり請求項１記載のシャンデリアの効果をより多く提供することが出来る。
【図面の簡単な説明】
【図１】本考案に係わるシャンデリア装置の斜視外観図である。
【図２】本考案に係わるシャンデリア装置の正面図である
【図３】本考案に係わるシャンデリア装置の断面図である。
【図４】本考案に係わるるシャンデリア装置を取付けた斜視図である。
【符号の説明】
１０・・・シャンデリア装置
１１・・・外枠
１３・・・装飾部
１５・・・装飾部
１７・・・多色発光ＬＥＤ
１８・・・高輝度ＬＥＤ
【図１】
0003110218.tif 000003
【図２】
0003110218.tif 000004
【図３】
0003110218.tif 000005
【図４】
0003110218.tif 000006